(57)【特許請求の範囲】
【請求項１】
使用しようとする伝送リソース及び複素数拡張シーケンスを確定するステップと、
前記複素数拡張シーケンスを用いて、送信しようとするデータシンボルを処理し、シンボルシーケンスを生成するステップと、
前記伝送リソースにより前記シンボルシーケンスを送信するステップと、を含み、
前記複素数拡張シーケンスの各要素は複素数であり、各要素の実部と虚部の取る値はいずれもＭ要素実数集合からのものであり、その中、Ｍが２よりも大きい整数であり、
前記Ｍ要素実数集合は、
[−(Ｍ−１)/２，(Ｍ−１)/２]の範囲内のＭ個の整数からなり、Ｍが奇数である集合、  [−(Ｍ−１)，(Ｍ−１)]の範囲内のＭ個の奇数からなり、Ｍが偶数である集合、
[−(Ｍ−１)/２，(Ｍ−１)/２]の範囲内のＭ個の整数にそれぞれ指定係数を乗算して得られたＭ個の実数からなり、Ｍが奇数である集合、 
[−(Ｍ−１)，(Ｍ−１)]の範囲内のＭ個の奇数にそれぞれ指定係数を乗算して得られたＭ個の実数からなり、Ｍが偶数である集合、
のうちの１つを含む
データ伝送方法。
【請求項２】
前記使用しようとする伝送リソース及び複素数拡張シーケンスを確定することは、
使用しようとする伝送リソース、及び使用しようとする複素数拡張シーケンスをそれぞれ確定すること、
まず、使用しようとする伝送リソースを確定し、それから、前記伝送リソースに基づいて、使用しようとする複素数拡張シーケンスを確定すること、
まず、使用しようとする複素数拡張シーケンスを確定し、それから、前記複素数拡張シーケンスに基づいて、使用しようとする伝送リソースを確定すること、
のうちの１つの方式を含む請求項１に記載のデータ伝送方法。
【請求項３】
前記使用しようとする伝送リソースを確定することは、
システム固定設定、システムの送信した指示シグナリング又は発信機身分識別情報に基づいて、使用しようとする伝送リソースを確定することを含む請求項２に記載のデータ伝送方法。
【請求項４】
前記使用しようとする複素数拡張シーケンスを確定することは、
システム固定設定、システムの送信した指示シグナリング、発信機身分識別情報又はランダム生成の方式に基づいて、使用しようとする複素数拡張シーケンスを確定すること、  システム固定設定、システムの送信した指示シグナリング又は発信機身分識別情報に基づいて、使用しようとする複素数拡張シーケンスの所在する複素数拡張シーケンス集合を確定し、システム固定設定、システムの送信した指示シグナリング、発信機身分識別情報又はランダム選択の方式に基づいて、前記複素数拡張シーケンス集合から、使用しようとする複素数拡張シーケンスを確定すること、
のうちの１つの方式を含む請求項２に記載のデータ伝送方法。
【請求項５】
前記伝送リソースに基づいて、使用しようとする複素数拡張シーケンスを確定することは、
前記伝送リソース及び発信機身分識別情報に基づいて、システムの予め設定したルール又はランダム生成の方式に従って、使用しようとする複素数拡張シーケンスを確定すること、
システムの予め確定した伝送リソースと複素数拡張シーケンス集合との間の関連付けに基づいて、前記伝送リソースに関連するＶ個の複素数拡張シーケンス集合を確定し、システム固定設定、システムの送信した指示シグナリング、発信機身分識別情報又はランダム選択の方式に基づいて、前記Ｖ個の複素数拡張シーケンス集合からＷ個の複素数拡張シーケンスを選択して、使用しようとする複素数拡張シーケンスとし、その中、Ｖが１以上の整数であり、Ｗが１以上の整数であること、
のうちの１つの方式を含む請求項２に記載のデータ伝送方法。
【請求項６】
前記複素数拡張シーケンスに基づいて、使用しようとする伝送リソースを確定することは、前記複素数拡張シーケンスの所在する複素数拡張シーケンス集合、及びシステムの予め確定した伝送リソースと複素数拡張シーケンス集合との間の関連付けに基づいて、前記複素数拡張シーケンス集合に関連するＹ個の伝送リソースを確定し、システム固定設定、システムの送信した指示シグナリング又は発信機身分識別情報に基づいて、前記Ｙ個の伝送リソースからＺ個の伝送リソースを選択して、使用しようとする伝送リソースとし、その中、Ｙが１以上の整数であり、Ｚが１以上の整数であることを含む請求項２に記載のデータ伝送方法。
【請求項７】
前記発信機身分識別情報は少なくとも、発信機番号、発信機身分識別コード、発信機位置、発信機ネットワークアドレスのうちの１つを含む請求項３〜６のいずれか１項に記載のデータ伝送方法。
【請求項８】
前記システムの予め確定した伝送リソースと複素数拡張シーケンス集合との間の関連付けは少なくとも、
伝送リソースと複素数拡張シーケンス集合との間の一対一対応の関係、
１つの伝送リソースが複数の複素数拡張シーケンス集合に対応する関係、
複数の伝送リソースが１つの複素数拡張シーケンス集合に対応する関係、
複数の伝送リソースと複数の複素数拡張シーケンス集合との間の対応関係、
のうちの１つを含む請求項５又は６に記載のデータ伝送方法。
【請求項９】
前記使用しようとする伝送リソースを確定することは、システムの予め確定したＮ個の伝送リソースに基づいて、使用しようとする伝送リソースを確定し、その中、各伝送リソースは、１つの伝送リソースユニット、１つの伝送リソースブロック又は１つの伝送リソース集合であり、Ｎは１以上の整数である請求項１に記載のデータ伝送方法。
【請求項１０】
前記使用しようとする複素数拡張シーケンスを確定することは、システムの予め確定したＳ個の複素数拡張シーケンス集合に基づいて、使用しようとする複素数拡張シーケンスを確定し、その中、各複素数拡張シーケンス集合は、Ｘ個の長さがＬである複素数拡張シーケンスを含み、Ｓは１以上の整数であり、Ｘは１以上の整数であり、Ｌは１よりも大きい整数であることを含む請求項１に記載のデータ伝送方法。
【請求項１１】
前記複素数拡張シーケンスを用いて、送信しようとするデータシンボルを処理し、シンボルシーケンスを生成することは、前記複素数拡張シーケンスを用いて、送信しようとするデータシンボルに対して拡張処理を行い、拡張後のシンボルシーケンスを生成することを含む請求項１に記載のデータ伝送方法。
【請求項１２】
前記伝送リソースにより前記シンボルシーケンスを送信することは、前記シンボルシーケンスを前記伝送リソースにマッピングし、送信信号を形成して、送信することを含む請求項１に記載のデータ伝送方法。
【請求項１３】
使用しようとする伝送リソース及び複素数拡張シーケンスを確定するように設定される確定モジュールと、
前記複素数拡張シーケンスを用いて、送信しようとするデータシンボルを処理し、シンボルシーケンスを生成するように設定される処理モジュールと、
前記伝送リソースにより前記シンボルシーケンスを送信するように設定される送信モジュールと、を備え、
前記複素数拡張シーケンスの各要素は複素数であり、各要素の実部と虚部の取る値はいずれもＭ要素実数集合からのものであり、その中、Ｍが２よりも大きい整数であり、
前記Ｍ要素実数集合は、
[−(Ｍ−１)/２，(Ｍ−１)/２]の範囲内のＭ個の整数からなり、Ｍが奇数である集合、  [−(Ｍ−１)，(Ｍ−１)]の範囲内のＭ個の奇数からなり、Ｍが偶数である集合、
[−(Ｍ−１)/２，(Ｍ−１)/２]の範囲内のＭ個の整数にそれぞれ指定係数を乗算して得られたＭ個の実数からなり、Ｍが奇数である集合、 
[−(Ｍ−１)，(Ｍ−１)]の範囲内のＭ個の奇数にそれぞれ指定係数を乗算して得られたＭ個の実数からなり、Ｍが偶数である集合、
のうちの１つを含む
データ伝送装置。
【請求項１４】
コンピュータの実行可能な指令が記憶され、前記コンピュータの実行可能な指令が実行される場合、請求項１〜１２のいずれか１項に記載のデータ伝送方法を実現するコンピュータ読み取り可能な記憶媒体。
【発明の詳細な説明】
【技術分野】
【０００１】
本願は、無線通信分野に関するがこれに制限されなく、特にデータ伝送方法及び装置に関する。
【背景技術】
【０００２】
アップリンクマルチユーザアクセス通信は、異なる多元接続技術、例えば、時分割多元接続（Time Division Multiple Access、ＴＤＭＡ）、周波数分割多元接続（Frequency Division Multiple Access、ＦＤＭＡ）、符号分割多元接続（Code Division Multiple Access、ＣＤＭＡ）及び空間分割多元接続（Space Division Multiple Access、ＳＤＭＡ）により実現できる。その中、符号分割多元接続ＣＤＭＡ技術は、アップリンクマルチユーザアクセス通信を実現する１つの非常に重要なタイプであり、優れたアクセス性能を提供でき、既に複数の無線通信規格で用いられている。
【０００３】
ＣＤＭＡを採用するアクセス手順について、まず、複数のアクセス端末はそれぞれ、一定の長さの拡張シーケンス（例えば、Ｌ個のデータシンボル又はＬ個のデータエレメントからなる長さがＬである拡張シーケンス）を用いて、送信しようとするデータに対してアンプリフェーズ変調（例えば、直交振幅変調（Quadrature Amplitude Modulation、ＱＡＭ））を行ったデータシンボルに対して拡張処理を行う。その中、拡張処理とは、各変調後のデータシンボルと拡張シーケンスの各シンボルとの乗算により、採用した拡張シーケンスの長さと同じシンボルシーケンスを形成する過程を指し、具体的に、各変調後のデータシンボル（例えば、送信しようとするデータがＱＡＭ変調を行われた後の対応のコンステレーションポイントのシンボル）と長さがＬである拡張シーケンスの各シンボルとの乗算により、各変調後のデータシンボルは、用いられた拡張シーケンスの長さと同じシンボルシーケンスとなるように拡張され、即ち、各変調後のデータシンボルはＬ個のシンボルに拡張され、これは、各変調後のデータシンボルがそれぞれ該長さがＬである拡張シーケンスによりベアリングされることに相当する。そして、複数のアクセス端末の拡張処理によるシンボルシーケンスは、同じ時間周波数リソースにおいて送信されることができる。その上で、基地局は、複数のアクセス端末の拡張信号が無線伝播を経た後の重ね合わされた信号を受信し、マルチユーザ受信検出技術により、受信した重ね合わせ信号から各端末の有用な情報を分離する。
【０００４】
ＣＤＭＡは、スペクトラム拡散通信のカテゴリに属し、端末が変調したデータシンボルに対して長さがＬである拡張シーケンスを用いて拡張処理した後、Ｌ個のシンボルに拡張され、拡張処理後のＬ個のシンボルの伝送時間が拡張前のデータシンボルの伝送時間に等しいことが条件であれば、拡張処理後のＬ個のシンボルが必要な帯域幅はＬ倍拡張される必要があるため、拡張シーケンスは、一般的にスペクトラム拡散シーケンスと呼ばれる。
【０００５】
アクセス端末が拡張処理を行って得られたシンボルは、マルチキャリア技術（例えば直交周波数分割多重（Orthogonal Frequency Division Multiplexing、ＯＦＤＭ）、フィルターバンクマルチキャリア（Filter-Bank Multi-Carrier、ＦＢＭＣ））により伝送することができ、符号分割多元接続とマルチキャリア技術との組合せが、即ちマルチキャリア符号分割多元接続技術（Multi-Carrier Code Division Multiple Access、ＭＣ-ＣＤＭＡ）である。
【０００６】
ＣＤＭＡ技術において、発信機の拡張処理手順は比較的に簡単であり、即ち、各変調後のデータシンボルに、長さがＬである拡張シーケンスの各シンボルを乗算して、拡張処理後のＬ個のシンボルを得ており、それから、シングルキャリア技術又はマルチキャリア技術により発信する。基地局の受信機の受信手順は、相対的に複雑である。基地局の受信機がどのように、重ね合わせ信号から各端末の有用なデータ情報を正確に分離して、ＣＤＭＡシステムの多元接続性能を保証するかは、ＣＤＭＡシステムの重要な点であり、これは拡張シーケンスと受信機の２つの側面に関係し、その中、拡張シーケンスの選択は性能基礎であり、受信機の設計は性能保証である。
【０００７】
具体的に、優れた多元接続性能を取得するために、異なる端末が用いる拡張シーケンスの間には、優れた相互相関特性を有する必要がある。シングルキャリア符号分割多重技術を用いれば、端末が用いる拡張シーケンスは優れた自己相関特性を更に有して、マルチパス遅延拡張の影響に対抗する必要がある。マルチキャリア符号分割多重技術は、マルチキャリア技術に依存してマルチパス遅延拡張の影響に対抗することができ、その拡張シーケンスの設計については、受信機によるマルチユーザ情報の分離に寄与する相互相関特性を重点的に考慮することができる。
【０００８】
拡張シーケンスの設計の上で、基地局は、高性能のマルチユーザ受信検出技術を用いてマルチユーザ情報を分離して、優れた多元接続性能を取得することができ、例えば、逐次干渉除去（Successive Interference Cancellation、ＳＩＣ）受信検出技術であり、しかし、その複雑さは相対的に高い。
【０００９】
拡張シーケンスの選択と設計は、ＣＤＭＡ技術の重要な側面である。直接シーケンススペクトラム拡散符号分割多元接続（Direct Sequence-Code Division Multiple Access、ＤＳ-ＣＤＭＡ）技術は、一種の通常のＣＤＭＡ技術であり、既に複数の無線通信規格とシステムのアップリンクマルチユーザアクセス技術とされており、その拡張シーケンスは、簡単な２進疑似雑音（Pseudo-Noise、ＰＮ）実数シーケンスを用いる。そして、２進ＰＮ実数シーケンスに基づくＤＳ-ＣＤＭＡは、ＭＣ-ＣＤＭＡ技術にも適用される。２進疑似雑音実数シーケンスは、バイナリ疑似雑音シーケンスと呼ばれてもよく、その各要素或いはシンボルの取る値は、一般的に０又は１として示され、更に二極性シーケンスとして示すことができ、即ち、０が＋１と示され、１が−１と示され、又は、０が−１と示され、１が＋１と示されてもよい。
【００１０】
拡張シーケンスの設計については、拡張シーケンスの長さを考慮する必要もあり、拡張シーケンスが長ければ長いほど、異なる端末が採用する拡張シーケンスの間の低い相互相関性は保証され易く、そして、より多くの低い相互相関性を有するシーケンスを選択し易くなり、それにより、より多くの端末の同時アクセスをサポートすることができる。同時にアクセスする端末の数量が拡張シーケンスの長さよりも大きい場合であれば、システムが過負荷状態にあると認められる。
【００１１】
大量のユーザが同時にシステムにアクセスして通信するのをサポートすることは、これからの無線通信の１つの重要な要件であり、符号分割多元接続に基づく、優れた過負荷能力を有するマルチユーザアクセス通信システムの設計により実現することを考慮することができる。
【００１２】
マルチユーザ情報論の視点から見ると、アップリンクが非直交多元接続方式を用いると、直交多元接続方式よりも大きいシステム容量又はエッジスループットを取得することができ、それによって、柔軟なシステム設計を提供し、より多くのユーザの同時アクセスをサポートするために、異なるアクセス端末は非直交の拡張シーケンスを用いることができる。異なるアクセス端末の拡張シーケンスは互いに直交するものではないため、各アクセス端末の受信検出性能は同時にアクセスする端末の数量の増加に従って劣化し、システムが過負荷になる場合に、マルチユーザの間の干渉はより深刻になる。
【００１３】
現在の符号分割多元接続技術は、２進疑似雑音実数シーケンスに基づく拡張シーケンスを採用し、長さは相対的に長く、大量のユーザ端末がシステムにアクセスする場合、又はシステムが過負荷になる場合、従来の受信機（例えば、レイク（Rake）受信機）を用いた性能は低下し、干渉除去受信機（例えば、ＳＩＣ受信機）を用いた受信検出は、複雑さが高くなり、遅延も大きくなる。長さが短い２進疑似雑音実数シーケンスを用いれば、シーケンスの間の低い相互相関性は保証され難く、大量のユーザ端末がシステムにアクセスする場合、又はシステムが過負荷になる場合には、深刻なマルチユーザ間干渉が発生し、更にマルチユーザ受信検出性能及びマルチユーザアクセス通信性能に影響する。
【発明の概要】
【発明が解決しようとする課題】
【００１４】
以下は、本文が詳細に説明する主題の概要である。本概要は、請求項の保護範囲を限定するためのものではない。
【００１５】
本発明の実施例は、従来技術に存在する、マルチユーザ間の干渉が深刻で、受信検出の複雑さが高く、マルチユーザ受信検出性能及びマルチユーザアクセス通信性能に影響するとの問題を解決するデータ伝送方法及び装置を提供する。
【課題を解決するための手段】
【００１６】
本発明の実施例は、データ伝送方法を提供し、使用しようとする伝送リソース及び複素数拡張シーケンスを確定するステップと、前記複素数拡張シーケンスを用いて、送信しようとするデータシンボルを処理し、シンボルシーケンスを生成するステップと、前記伝送リソースにより前記シンボルシーケンスを送信するステップと、を含む。
【００１７】
選択的に、前記使用しようとする伝送リソース及び複素数拡張シーケンスを確定することは、
使用しようとする伝送リソース、及び使用しようとする複素数拡張シーケンスをそれぞれ確定すること、
まず、使用しようとする伝送リソースを確定し、それから、前記伝送リソースに基づいて、使用しようとする複素数拡張シーケンスを確定すること、
まず、使用しようとする複素数拡張シーケンスを確定し、それから、前記複素数拡張シーケンスに基づいて、使用しようとする伝送リソースを確定すること、
のうちの１つの方式を含む。
【００１８】
選択的に、前記使用しようとする伝送リソースを確定することは、システム固定設定、システムの送信した指示シグナリング又は発信機身分識別情報に基づいて、使用しようとする伝送リソースを確定することを含む。
【００１９】
選択的に、前記使用しようとする複素数拡張シーケンスを確定することは、
システム固定設定、システムの送信した指示シグナリング、発信機身分識別情報又はランダム生成の方式に基づいて、使用しようとする複素数拡張シーケンスを確定すること、
システム固定設定、システムの送信した指示シグナリング又は発信機身分識別情報に基づいて、使用しようとする複素数拡張シーケンスの所在する複素数拡張シーケンス集合を確定し、システム固定設定、システムの送信した指示シグナリング、発信機身分識別情報又はランダム選択の方式に基づいて、前記複素数拡張シーケンス集合から、使用しようとする複素数拡張シーケンスを確定すること、
のうちの１つの方式を含む。
【００２０】
選択的に、前記伝送リソースに基づいて、使用しようとする複素数拡張シーケンスを確定することは、
前記伝送リソース及び発信機身分識別情報に基づいて、システムの予め設定したルール又はランダム生成の方式に従って、使用しようとする複素数拡張シーケンスを確定すること、
システムの予め確定した伝送リソースと複素数拡張シーケンス集合との間の関連付けに基づいて、前記伝送リソースに関連するＶ個の複素数拡張シーケンス集合を確定し、システム固定設定、システムの送信した指示シグナリング、発信機身分識別情報又はランダム選択の方式に基づいて、前記Ｖ個の複素数拡張シーケンス集合からＷ個の複素数拡張シーケンスを選択して、使用しようとする複素数拡張シーケンスとし、その中、Ｖが１以上の整数であり、Ｗが１以上の整数であること、
のうちの１つの方式を含む。
【００２１】
選択的に、前記複素数拡張シーケンスに基づいて、使用しようとする伝送リソースを確定することは、前記複素数拡張シーケンスの所在する複素数拡張シーケンス集合、及びシステムの予め確定した伝送リソースと複素数拡張シーケンス集合との間の関連付けに基づいて、前記複素数拡張シーケンス集合に関連するＹ個の伝送リソースを確定し、システム固定設定、システムの送信した指示シグナリング又は発信機身分識別情報に基づいて、前記Ｙ個の伝送リソースからＺ個の伝送リソースを選択して、使用しようとする伝送リソースとし、その中、Ｙが１以上の整数であり、Ｚが１以上の整数であることを含む。
【００２２】
選択的に、前記発信機身分識別情報は少なくとも、発信機番号、発信機身分識別コード、発信機位置、発信機ネットワークアドレスのうちの１つを含む。
【００２３】
選択的に、前記システムの予め確定した伝送リソースと複素数拡張シーケンス集合との間の関連付けは少なくとも、
伝送リソースと複素数拡張シーケンス集合との間の一対一対応の関係、
１つの伝送リソースが複数の複素数拡張シーケンス集合に対応する関係、
複数の伝送リソースが１つの複素数拡張シーケンス集合に対応する関係、
複数の伝送リソースと複数の複素数拡張シーケンス集合との間の対応関係、
のうちの１つを含む。
【００２４】
選択的に、前記使用しようとする伝送リソースを確定することは、システムの予め確定したＮ個の伝送リソースに基づいて、使用しようとする伝送リソースを確定し、その中、各伝送リソースは、１つの伝送リソースユニット、１つの伝送リソースブロック又は１つの伝送リソース集合であり、Ｎは１以上の整数であることを含む。
【００２５】
選択的に、前記使用しようとする複素数拡張シーケンスを確定することは、システムの予め確定したＳ個の複素数拡張シーケンス集合に基づいて、使用しようとする複素数拡張シーケンスを確定し、その中、各複素数拡張シーケンス集合は、Ｘ個の長さがＬである複素数拡張シーケンスを含み、Ｓは１以上の整数であり、Ｘは１以上の整数であり、Ｌは１よりも大きい整数であることを含む。
【００２６】
選択的に、前記複素数拡張シーケンスの各要素は複素数であり、各要素の実部と虚部の取る値はいずれもＭ要素実数集合からのものであり、その中、Ｍが２以上の整数である。
【００２７】
選択的に、前記Ｍ要素実数集合は、
[−(Ｍ−１)/２, (Ｍ−１)/２]の範囲内のＭ個の整数からなり、Ｍが奇数である集合、
[−(Ｍ−１), (Ｍ−１)]の範囲内のＭ個の奇数からなり、Ｍが偶数である集合、
[−(Ｍ−１)/２, (Ｍ−１)/２]の範囲内のＭ個の整数にそれぞれ指定係数を乗算して得られたＭ個の実数からなり、Ｍが奇数である集合、 
[−(Ｍ−１), (Ｍ−１)]の範囲内のＭ個の奇数にそれぞれ指定係数を乗算して得られたＭ個の実数からなり、Ｍが偶数である集合、
のうちの１つを含む。
【００２８】
選択的に、前記複素数拡張シーケンスを用いて、送信しようとするデータシンボルを処理し、シンボルシーケンスを生成することは、前記複素数拡張シーケンスを用いて、送信しようとするデータシンボルに対して拡張処理を行い、拡張後のシンボルシーケンスを生成することを含む。
【００２９】
選択的に、前記伝送リソースにより前記シンボルシーケンスを送信することは、前記シンボルシーケンスを前記伝送リソースにマッピングし、送信信号を形成して、送信することを含む。
【００３０】
本発明の実施例は、データ伝送装置を更に提供し、使用しようとする伝送リソース及び複素数拡張シーケンスを確定するように設定される確定モジュールと、前記複素数拡張シーケンスを用いて、送信しようとするデータシンボルを処理し、シンボルシーケンスを生成するように設定される処理モジュールと、前記伝送リソースにより前記シンボルシーケンスを送信するように設定される送信モジュールと、を備える。
【００３１】
本発明の実施例は、コンピュータ読み取り可能な記憶媒体を更に提供し、コンピュータの実行可能な指令が記憶され、前記コンピュータの実行可能な指令が実行される場合、上記データ伝送方法を実現する。
【発明の効果】
【００３２】
本発明の実施例においては、確定した複素数拡張シーケンスを用いて、送信しようとするデータシンボルを処理して、それから確定した伝送リソースにより、複素数拡張シーケンスで処理されて得られたシンボルシーケンスを送信することによって、マルチユーザ間干渉を効果的に制御し、受信機の受信検出複雑さを効果的に制御し、マルチユーザアクセス通信性能を効果的に改善し、より多くのユーザ端末が同時にアクセスして通信することをサポートすることができる。
【００３３】
選択的に、システムは、伝送リソースと複素数拡張シーケンス集合との間の関連付けを予め確定し、発信機又は端末は、確定した伝送リソースに基づいて、関連する複素数拡張シーケンス集合から、使用しようとする複素数拡張シーケンスを確定し、又は、確定した複素数拡張シーケンスの所在する複素数拡張シーケンス集合に基づいて、関連する伝送リソースから、使用しようとする伝送リソースを確定し、このように、アクセスユーザの使用する複素数拡張シーケンス集合及びその中の複素数拡張シーケンスの数量を制御することにより、干渉除去受信機は、関連する複素数拡張シーケンス集合に基づいて、各伝送リソースにおけるアクセスユーザに対して受信検出を行って、受信機の受信検出の複雑さを低減することができる。同時に、用いられた複素数拡張シーケンスの各要素の実部と虚部の取る値はいずれも、Ｍ要素実数集合からのものであり、同じ伝送リソースを使用する複数の発信機又は端末が低い相互相関の複素数拡張シーケンスを選択して、その送信しようとするデータシンボルに対して拡張処理を行って送信することを効果的に保証することができ、それによりマルチユーザ間干渉を効果的に制御し、より高いアクセスユーザの数量をサポートすることができる。更に、複素数拡張シーケンス及び伝送リソースの区分を組合わせて、システムは、より多くのユーザ端末が同時にアクセスして通信することをサポートすることができる。
【００３４】
図面及び詳細の説明を読んで理解した後、他の側面を理解できる。
【図面の簡単な説明】
【００３５】
ここで説明する図面は、本発明の実施例を更に理解するためのものであり、本願の一部を構成し、本発明の実施例及びその説明は、本願を解釈するためのものであり、本願に対する不当な限定を構成するものではない。
【図１】図１は、本発明の実施例によるデータ伝送方法のフローチャートである。
【図２】図２は、本発明の実施例によるデータ伝送装置の模式図である。
【図３】図３は、本発明の実施例１において、発信機がデータ伝送を行うフローチャートである。
【図４】図４は、本発明の実施例２において、発信機がデータ伝送を行うフローチャートである。
【図５】図５は、本発明の実施例３において、発信機がデータ伝送を行うフローチャートである。
【図６】図６は、本発明の実施例４において、Ｋ個の発信機が伝送リソース及び複素数拡張シーケンスを確定する模式図である。
【図７】図７は、本発明の実施例４において、Ｋ個の発信機が伝送リソース及び複素数拡張シーケンスを確定する他の模式図である。
【図８】図８は、本発明の実施例４において、Ｋ個の発信機が伝送リソース及び複素数拡張シーケンスを確定する他の模式図である。
【図９】図９は、本発明の実施例４において、Ｋ個の発信機が伝送リソース及び複素数拡張シーケンスを確定する他の模式図である。
【発明を実施するための形態】
【００３６】
以下、図面を参照しながら、本発明の実施例について詳しく説明する。なお、矛盾が生じない場合には、本願における実施例及び実施例における特徴は、互いに任意に組み合わせることができる。
【００３７】
図１は、本発明の実施例によるデータ伝送方法のフローチャートである。図１に示すように、本発明の実施例によるデータ伝送方法は、発信機又は端末に適用されることができ、下記ステップＳ１〜Ｓ３を含む。
【００３８】
ステップＳ１：使用しようとする伝送リソース及び複素数拡張シーケンスを確定する。
【００３９】
選択的に、該ステップにおいて、使用しようとする伝送リソース及び複素数拡張シーケンスを確定することは、
（１）使用しようとする伝送リソース、及び使用しようとする複素数拡張シーケンスをそれぞれ確定すること、
（２）まず、使用しようとする伝送リソースを確定し、それから、前記伝送リソースに基づいて、使用しようとする複素数拡張シーケンスを確定すること、
（３）まず、使用しようとする複素数拡張シーケンスを確定し、それから、前記複素数拡張シーケンスに基づいて、使用しようとする伝送リソースを確定すること、
のうちの１つの方式を含んでもよいが、それに制限されない。
【００４０】
選択的に、該ステップにおいて、システムの予め確定したＮ個の伝送リソースに基づいて、使用しようとする伝送リソースを確定し、各伝送リソースは、１つの伝送リソースユニット、１つの伝送リソースブロック又は１つの伝送リソース集合であり、Ｎは１以上の整数である。
【００４１】
選択的に、該ステップにおいて、使用しようとする伝送リソースを確定することは、
（１）システム固定設定に基づいて、使用しようとする伝送リソースを確定すること、
（２）システムの送信した指示シグナリングに基づいて、使用しようとする伝送リソースを確定すること、
（３）発信機身分識別情報に基づいて、使用しようとする伝送リソースを確定すること、
のうちの１つの方式を含んでもよいが、それに制限されない。
【００４２】
選択的に、該ステップにおいて、使用しようとする複素数拡張シーケンスを確定することは、
（１）システム固定設定に基づいて、使用しようとする複素数拡張シーケンスを確定すること、
（２）システムの送信した指示シグナリングに基づいて、使用しようとする複素数拡張シーケンスを確定すること、
（３）発信機身分識別情報に基づいて、使用しようとする複素数拡張シーケンスを確定すること、
（４）ランダム生成の方式に基づいて、使用しようとする複素数拡張シーケンスを確定すること、
のうちの少なくとも１つの方式に基づいて（それに制限されない）、使用しようとする複素数拡張シーケンスを確定すること、
又は、
まず、使用しようとする複素数拡張シーケンスの所在する複素数拡張シーケンス集合を確定し、それから、前記複素数拡張シーケンス集合から、使用しようとする複素数拡張シーケンスを確定すること、
を含む。
【００４３】
その中、使用しようとする複素数拡張シーケンスの所在する複素数拡張シーケンス集合を確定することは、
（１）システム固定設定に基づいて、使用しようとする複素数拡張シーケンスの所在する複素数拡張シーケンス集合を確定すること、
（２）システムの送信した指示シグナリングに基づいて、使用しようとする複素数拡張シーケンスの所在する複素数拡張シーケンス集合を確定すること、
（３）発信機身分識別情報に基づいて、使用しようとする複素数拡張シーケンスの所在する複素数拡張シーケンス集合を確定すること、
のうちの１つの方式を含んでもよいが、それに制限されない。
【００４４】
その中、前記複素数拡張シーケンス集合から、使用しようとする複素数拡張シーケンスを確定することは、
（１）システム固定設定に基づいて、前記複素数拡張シーケンス集合から、使用しようとする複素数拡張シーケンスを確定すること、
（２）システムの送信した指示シグナリングに基づいて、前記複素数拡張シーケンス集合から、使用しようとする複素数拡張シーケンスを確定すること、
（３）発信機身分識別情報に基づいて、前記複素数拡張シーケンス集合から、使用しようとする複素数拡張シーケンスを確定すること、
（４）ランダム選択の方式に基づいて、前記複素数拡張シーケンス集合から、使用しようとする複素数拡張シーケンスを確定すること、
のうちの１つの方式を含んでもよいが、それに制限されない。
【００４５】
選択的に、該ステップにおいて、システムの予め確定したＳ個の複素数拡張シーケンス集合に基づいて、使用しようとする複素数拡張シーケンスを確定し、その中、各複素数拡張シーケンス集合は、Ｘ個の長さがＬである複素数拡張シーケンスを含み、Ｓは１以上の整数であり、Ｘは１以上の整数であり、Ｌは１よりも大きい整数である。
【００４６】
選択的に、該ステップにおいて、前記複素数拡張シーケンスの各要素は複素数であり、そして、各要素の実部と虚部の取る値はいずれも、Ｍ要素実数集合からのものであり、その中、Ｍは２以上の整数である。
【００４７】
選択的に、前記Ｍ要素実数集合は、
[−(Ｍ−１)/２, (Ｍ−１)/２]の範囲内のＭ個の整数からなり、Ｍが奇数である集合、
[−(Ｍ−１), (Ｍ−１)]の範囲内のＭ個の奇数からなり、Ｍが偶数である集合、
[−(Ｍ−１)/２, (Ｍ−１)/２]の範囲内のＭ個の整数にそれぞれ指定係数を乗算して得られたＭ個の実数からなり、Ｍが奇数である集合、
[−(Ｍ−１), (Ｍ−１)]の範囲内のＭ個の奇数にそれぞれ指定係数を乗算して得られたＭ個の実数からなり、Ｍが偶数である集合、
のうちの１つを含んでもよいが、それに制限されない。
ここで、指定係数は、複素数拡張シーケンスのエネルギー正規化効果の実現に用いられることができる。
【００４８】
選択的に、該ステップにおいて、前記伝送リソースに基づいて、使用しようとする複素数拡張シーケンスを確定することは、
前記伝送リソース及び発信機身分識別情報に基づいて、システムの予め設定したルール又はランダム生成の方式に従って、使用しようとする複素数拡張シーケンスを確定すること、
又は、
システムの予め確定した伝送リソースと複素数拡張シーケンス集合との間の関連付けに基づいて、前記伝送リソースに関連するＶ個の複素数拡張シーケンス集合を確定し、それから、
（１）システム固定設定、
（２）システムの送信した指示シグナリング、
（３）発信機身分識別情報、
（４）ランダム選択の方式、
のうちの１つの方式に基づいて（それに制限されない）、前記Ｖ個の複素数拡張シーケンス集合からＷ個の複素数拡張シーケンスを選択して、使用しようとする複素数拡張シーケンスとし、その中、Ｖは１以上の整数であり、Ｗは１以上の整数であること、
を含む。
【００４９】
選択的に、該ステップにおいて、前記複素数拡張シーケンスに基づいて、使用しようとする伝送リソースを確定することは、前記複素数拡張シーケンスの所在する複素数拡張シーケンス集合、及びシステムの予め確定した伝送リソースと複素数拡張シーケンス集合との間の関連付けに基づいて、前記複素数拡張シーケンス集合に関連するＹ個の伝送リソースを確定し、それから、
（１）システム固定設定、
（２）システムの送信した指示シグナリング、
（３）発信機身分識別情報、
のうちの１つの方式に基づいて（それに制限されない）、前記Ｙ個の伝送リソースからＺ個の伝送リソースを選択して、使用しようとする伝送リソースとし、その中、Ｙは１以上の整数であり、Ｚは１以上の整数であること、を含む。
【００５０】
選択的に、上記発信機身分識別情報は、
（１）発信機番号、
（２）発信機身分識別コード、
（３）発信機位置、
（４）発信機ネットワークアドレス、
のうちの１つを含むが、それに制限されない。
【００５１】
選択的に、上記システムの予め確定した伝送リソースと複素数拡張シーケンス集合との間の関連付けは、
（１）伝送リソースと複素数拡張シーケンス集合との間の一対一対応の関係、
（２）１つの伝送リソースが複数の複素数拡張シーケンス集合に対応する関係、
（３）複数の伝送リソースが１つの複素数拡張シーケンス集合に対応する関係、
（４）複数の伝送リソースと複数の複素数拡張シーケンス集合との間の対応関係、
のうちの１つの方式を含むが、それに制限されない。
【００５２】
ステップＳ２：前記複素数拡張シーケンスを用いて、送信しようとするデータシンボルを処理し、シンボルシーケンスを生成する。
【００５３】
選択的に、該ステップにおいて、前記複素数拡張シーケンスを用いて、送信しようとするデータシンボルに対して拡張処理を行い、拡張後のシンボルシーケンスを生成する。
【００５４】
その中、拡張処理とは、各送信しようとするデータシンボルと前記複素数拡張シーケンスの各要素（複素数シンボル）との複素数掛け算を行い、最終的に前記複素数拡張シーケンスの長さと同じ複素数シンボルシーケンスを形成することを指す。
【００５５】
ステップＳ３：前記伝送リソースにより前記シンボルシーケンスを送信する。
【００５６】
選択的に、該ステップにおいて、前記シンボルシーケンスを前記伝送リソースにマッピングし、送信信号を形成して、送信する。
【００５７】
図２は、本発明の実施例によるデータ伝送装置の模式図である。図２に示すように、本発明の実施例によるデータ伝送装置は、確定モジュール１０、処理モジュール１１及び送信モジュール１２を備える。確定モジュール１０は、使用しようとする伝送リソース及び複素数拡張シーケンスを確定するように設定され、処理モジュール１１は、前記複素数拡張シーケンスを用いて、送信しようとするデータシンボルを処理し、シンボルシーケンスを生成するように設定され、送信モジュール１２は、前記伝送リソースにより前記シンボルシーケンスを送信するように設定される。
【００５８】
本実施例によるデータ伝送装置は、例えば、発信機又は端末に設置される。また、前記装置の具体的な操作については、上記方法に記載のようなものであるため、ここでは繰り返して説明しない。
【００５９】
以下、具体的な実施例と結び付け、本願について詳細に説明する。
【００６０】
実施例１
図３に示すように、本実施例において、データ伝送方法は、下記ステップＳ１１〜Ｓ１３を含む。
【００６１】
ステップＳ１１：発信機は、使用しようとする伝送リソース、及び使用しようとする複素数拡張シーケンスをそれぞれ確定する。
【００６２】
本実施例において、システムは、Ｎ個の伝送リソースを予め確定し、各伝送リソースは、１つの伝送リソースユニット、１つの伝送リソースブロック又は１つの伝送リソース集合であり、その中、Ｎは１以上の整数である。
【００６３】
その中、上記伝送リソースは、キャリア、タイムスロット、時間周波数リソース、空間領域リソース等のタイプ又は定義を含んでもよい。
【００６４】
発信機が使用しようとする伝送リソースを確定することは、
（１）システム固定設定に基づいて、使用しようとする伝送リソースを確定すること、例を挙げれば、システムが発信機の使用可能な伝送リソースを固定的に設定し、発信機がずっと該伝送リソースを使用してデータ伝送を行うこと、
（２）システムの送信した指示シグナリングに基づいて、使用しようとする伝送リソースを確定すること、例を挙げれば、発信機がシステムにアクセスした場合、システムは、発信機に指示シグナリングを送信し、発信機の使用可能な伝送リソースを通知すること、又は、システムは、シグナリングにより発信機の使用可能な伝送リソースを静的に設定し、発信機は、比較的長い時間内でいずれも該伝送リソースを使用してデータ伝送を行い、システムは、発信機に静的に設定した伝送リソースを変更できるが、変更時間間隔は比較的長く、例えば、１日、１週間、１ヶ月等或いはシステムが変更する必要な場合に変更すること、又は、システムは、周期的若しくは触発的に発信機に半静的な指示シグナリングを送信し、発信機の使用可能な伝送リソースを通知すること、又は、発信機がデータ伝送を行う場合、システムは、発信機に動的な指示シグナリングを送信し、発信機の使用可能な伝送リソースを通知すること、
（３）発信機身分識別情報に基づいて、使用しようとする伝送リソースを確定すること、例を挙げれば、発信機は、その番号、身分識別コード、位置又はネットワークアドレス等に基づいて、使用しようとする伝送リソースを確定し、例えば、複数の発信機番号がそれぞれ０，１，…，Ａであり、伝送リソースの数量がＮであり、伝送リソースインデックスがそれぞれ０，１，…，Ｎ−１であれば、発信機Ａは、その使用しようとする伝送リソースが（Ａ mod Ｎ）であることを確定することができ、その中、modは剰余演算を表すこと、
のうちの１つの方式を含んでもよいが、それに制限されない。
【００６５】
本実施例において、システムは更に、Ｓ個の複素数拡張シーケンス集合を予め確定し、各複素数拡張シーケンス集合は、Ｘ個の長さがＬである複素数拡張シーケンスを含み、その中、Ｓは１以上の整数であり、Ｘは１以上の整数であり、Ｌは１よりも大きい整数である。
【００６６】
その中、前記複素数拡張シーケンスの各要素は複素数であり、そして、各要素の実部と虚部の取る値はいずれもＭ要素実数集合からのものであり、Ｍは２以上の整数であり、例えば、Ｍの取る値が２であれば、複素数拡張シーケンスの各要素の実部と虚部の取る値はいずれも集合の{−１, １}からのものであり、Ｍの取る値が３であれば、複素数拡張シーケンスの各要素の実部と虚部の取る値はいずれも集合の{−１, ０, １}からのものである。また、各複素数拡張シーケンスに対してエネルギー正規化処理を行うことも考慮してもよい。
【００６７】
発信機が使用しようとする複素数拡張シーケンスを確定することは、
（１）システム固定設定に基づいて、使用しようとする複素数拡張シーケンスを確定すること、例を挙げれば、システムが、発信機の使用可能な複素数拡張シーケンスを固定的に設定し、発信機が、ずっと該複素数拡張シーケンスを使用してデータ伝送を行うこと、
（２）システムの送信した指示シグナリングに基づいて、使用しようとする複素数拡張シーケンスを確定すること、例を挙げれば、発信機がシステムにアクセスした場合、システムは、発信機に指示シグナリングを送信し、発信機の使用可能な複素数拡張シーケンスを通知すること、又は、システムは、シグナリングにより発信機の使用可能な複素数拡張シーケンスを静的に設定し、発信機は、比較的長い時間内でいずれも該複素数拡張シーケンスを使用してデータ伝送を行い、システムは、発信機に静的に設定した複素数拡張シーケンスを変更できるが、変更時間間隔は比較的長く、例えば、１日、１週間、１ヶ月等或いはシステムが変更する必要な場合に変更すること、又は、システムは、周期的若しくは触発的に発信機に半静的な指示シグナリングを送信し、発信機の使用可能な複素数拡張シーケンスを通知すること、又は、発信機がデータ伝送を行う場合、システムは、発信機に動的な指示シグナリングを送信し、発信機の使用可能な複素数拡張シーケンスを通知すること、
（３）発信機身分識別情報に基づいて、使用しようとする複素数拡張シーケンスを確定すること、例を挙げれば、発信機は、その身分識別情報に基づいてシステムの予め設定したルールに従って、そのランダムシーケンス発生器の初期状態を確定して、使用しようとする複素数拡張シーケンスをランダムに生成すること、又は、発信機は、その身分識別情報からなるシーケンスマスク又はシーケンスインデックスに基づいて、使用しようとする複素数拡張シーケンスを確定すること、
（４）ランダム生成の方式に基づいて、使用しようとする複素数拡張シーケンスを確定すること、例を挙げれば、発信機は、ランダムシーケンス発生器を用いて、使用しようとする複素数拡張シーケンスをランダムに生成すること、
のうちの少なくとも１つの方式に基づいて（それに制限されない）、発信機が、使用しようとする複素数拡張シーケンスを確定すること、
又は、
発信機が、まず、使用しようとする複素数拡張シーケンスの所在する複素数拡張シーケンス集合を確定し、それから、該複素数拡張シーケンス集合から、使用しようとする複素数拡張シーケンスを確定すること、
を含む。
【００６８】
その中、発信機が使用しようとする複素数拡張シーケンスの所在する複素数拡張シーケンス集合を確定することは、
（１）システム固定設定に基づいて、使用しようとする複素数拡張シーケンスの所在する複素数拡張シーケンス集合を確定すること、例を挙げれば、システムが、発信機の使用可能な複素数拡張シーケンス集合を固定的に設定し、発信機が、ずっと該複素数拡張シーケンス集合から、使用しようとする複素数拡張シーケンスを確定すること、
（２）システムの送信した指示シグナリングに基づいて、使用しようとする複素数拡張シーケンスの所在する複素数拡張シーケンス集合を確定すること、例を挙げれば、発信機がシステムにアクセスした場合、システムは、発信機に指示シグナリングを送信し、発信機の使用可能な複素数拡張シーケンス集合を通知すること、又は、システムは、シグナリングにより発信機の使用可能な複素数拡張シーケンス集合を静的に設定し、発信機は、比較的長い時間内でいずれも該複素数拡張シーケンス集合から、使用しようとする複素数拡張シーケンスを確定し、システムは、発信機に静的に設定した複素数拡張シーケンス集合を変更できるが、変更時間間隔は比較的長く、例えば、１日、１週間、１ヶ月等或いはシステムが変更する必要な場合に変更すること、又は、システムは、周期的若しくは触発的に発信機に半静的な指示シグナリングを送信し、発信機の使用可能な複素数拡張シーケンス集合を通知すること、又は、発信機がデータ伝送を行う場合、システムは、発信機に動的な指示シグナリングを送信し、発信機の使用可能な複素数拡張シーケンス集合を通知すること、
（３）発信機身分識別情報に基づいて、使用しようとする複素数拡張シーケンスの所在する複素数拡張シーケンス集合を確定すること、例を挙げれば、発信機は、その番号、身分識別コード、位置又はネットワークアドレス等に基づいて、使用しようとする複素数拡張シーケンス集合を確定し、例えば、複数の発信機番号がそれぞれ０，１，…，Ａであり、複素数拡張シーケンス集合の数量がＳであり、複素数拡張シーケンス集合インデックスがそれぞれ０，１，…，Ｓ−１であれば、発信機Ａは、その使用しようとする複素数拡張シーケンス集合が（Ａ mod Ｓ）であることを確定することができ、その中、modは剰余演算を表すこと、
のうちの１つの方式を含んでもよいが、それに制限されない。
【００６９】
その中、発信機が確定した複素数拡張シーケンス集合から、使用しようとする複素数拡張シーケンスを確定することは、
（１）システム固定設定に基づいて、確定した複素数拡張シーケンス集合から、使用しようとする複素数拡張シーケンスを確定すること、例を挙げれば、システムが、発信機の使用可能な複素数拡張シーケンスインデックスを固定的に設定し、発信機が、該インデックスに基づいて、確定した複素数拡張シーケンス集合から、使用しようとする複素数拡張シーケンスを確定すること、
（２）システムの送信した指示シグナリングに基づいて、確定した複素数拡張シーケンス集合から、使用しようとする複素数拡張シーケンスを確定すること、例を挙げれば、発信機がシステムにアクセスした場合、システムは、発信機に指示シグナリングを送信し、発信機の使用可能な複素数拡張シーケンスインデックスを通知すること、又は、システムは、シグナリングにより発信機の使用可能な複素数拡張シーケンスインデックスを静的に設定し、発信機は、比較的長い時間内でいずれも該インデックスに基づいて、確定した複素数拡張シーケンス集合から、使用しようとする複素数拡張シーケンスを確定し、システムは、発信機に静的に設定した複素数拡張シーケンスインデックスを変更できるが、変更時間間隔は比較的長く、例えば１日、１週間、１ヶ月等或いはシステムが変更する必要な場合に変更すること、又は、システムは、周期的若しくは触発的に発信機に半静的な指示シグナリングを送信し、発信機の使用可能な複素数拡張シーケンスインデックスを通知すること、又は、発信機がデータ伝送を行う場合、システムは、発信機に動的な指示シグナリングを送信し、発信機の使用可能な複素数拡張シーケンスインデックスを通知すること、
（３）発信機身分識別情報に基づいて、確定した複素数拡張シーケンス集合から、使用しようとする複素数拡張シーケンスを確定すること、例を挙げれば、発信機は、その番号、身分識別コード、位置又はネットワークアドレス等に基づいて、使用しようとする複素数拡張シーケンスインデックスを確定し、例えば、複数の発信機番号がそれぞれ０，１，…，Ａであり、確定した複素数拡張シーケンス集合における複素数拡張シーケンスの数量がＸであり、複素数拡張シーケンスインデックスがそれぞれ０，１，…，Ｘ−１であれば、発信機Ａは、その使用しようとする複素数拡張シーケンスインデックスが（Ａ mod Ｘ）であることを確定することができ、その中、modは剰余演算を表すこと、
（４）ランダム選択の方式に基づいて、確定した複素数拡張シーケンス集合から、使用しようとする複素数拡張シーケンスを確定すること、例を挙げれば、発信機は、その乱数発生器の出力した乱数を複素数拡張シーケンスインデックスとし、該インデックスに基づいて、確定した複素数拡張シーケンス集合から、使用しようとする複素数拡張シーケンスを確定すること、
のうちの１つの方式を含んでもよいが、それに制限されない。
【００７０】
ステップＳ１２：発信機は、確定した複素数拡張シーケンスを用いて、送信しようとするデータシンボルに対して拡張処理を行い、拡張後のシンボルシーケンスを生成する。
【００７１】
また、発信機は、上記シンボルシーケンスに対して更なるプリコーディング処理又はフーリエ変換処理等を行い、処理後のシンボルシーケンスを生成してもよい。
【００７２】
ステップＳ１３：発信機は、生成したシンボルシーケンスを、確定した伝送リソースにマッピングし、送信信号を形成して、送信する。
【００７３】
上記「システム」は、データ伝送送受信システムであり、発信機、受信機及び関連する機能ノード等を含み、発信機は、端末発信機、基地局発信機又は他のタイプの発信機であってもよく、受信機は、基地局受信機、端末受信機又は他のタイプの受信機であってもよく、関連する機能ノードは、ネットワーク管理ユニット、操作メンテナンスユニット等であってもよく、上記システムに関連する記載又は操作は、端末により実施され、又は基地局により実施され、又は他のタイプの発信機或いは受信機により実施され、又は関連する機能ノードにより実施されてもよく、本発明の実施例は、これを制限しない。
【００７４】
実施例２
図４に示すように、本実施例において、データ伝送方法は、下記ステップＳ２１〜Ｓ２３を含む。
【００７５】
ステップＳ２１：発信機は、まず、使用しようとする伝送リソースを確定し、それから、確定した伝送リソースに基づいて、使用しようとする複素数拡張シーケンスを確定する。
【００７６】
本実施例において、システムは、Ｎ個の伝送リソースを予め確定し、Ｎは１以上の整数である。具体的な過程は実施例１と類似するため、繰り返して説明しない。
【００７７】
発信機は使用しようとする伝送リソースを確定する。具体的な過程は実施例１と類似するため、繰り返して説明しない。
【００７８】
本実施例において、システムは、更に、Ｓ個の複素数拡張シーケンス集合を予め確定し、各複素数拡張シーケンス集合には、Ｘ個の長さがＬである複素数拡張シーケンスが含まれ、その中、Ｓは１以上の整数であり、Ｘは１以上の整数であり、Ｌは１よりも大きい整数である。具体的な過程は実施例１と類似するため、繰り返して説明しない。
【００７９】
本実施例において、システムは更に、伝送リソースと複素数拡張シーケンス集合との間の関連付けを予め確定し、
（１）伝送リソースと複素数拡張シーケンス集合との間の一対一対応の関係、
（２）１つの伝送リソースが複数の複素数拡張シーケンス集合に対応する関係、
（３）複数の伝送リソースが１つの複素数拡張シーケンス集合に対応する関係、
（４）複数の伝送リソースと複数の複素数拡張シーケンス集合との間の対応関係、
のうちの１つの方式を含んでもよいが、それに制限されない。上記方式（４）において、複数の伝送リソースは、１つの伝送リソースの組合せを構成し、複数の複素数拡張シーケンス集合は、１つの複素数拡張シーケンス集合の組合せを構成することができ、複数の伝送リソースと複数の複素数拡張シーケンス集合は、一対一対応の関係であってもよく、他の対応関係、例えば、伝送リソースの組合せと複素数拡張シーケンス集合の組合せとの間の全体的な一対一対応の関係であってもよく、発信機は、使用しようとする伝送リソースを確定する際に、これらの複数の伝送リソースにおける全部の伝送リソースを使用しようとすることを確定することができる。
【００８０】
ここで、システムは、伝送リソースと複素数拡張シーケンス集合との間の関連付けを予め確定し、システムにより固定的に設定されてもよく、システムによりシグナリングを介して設定されてもよく、システムにより黙示的に指示されてもよい。
【００８１】
発信機が、確定した伝送リソースに基づいて、使用しようとする複素数拡張シーケンスを確定することは、
確定した伝送リソース及び発信機身分識別情報に基づいて、システムの予め設定したルール又はランダム生成の方式に従って、使用しようとする複素数拡張シーケンスを確定すること、例を挙げれば、発信機は、確定した伝送リソースインデックスに基づいて、システムの予め設定したルールに従って、そのランダムシーケンス発生器の初期状態を確定し、その身分識別情報に基づいてシーケンスマスク又はシーケンスインデックスを確定し、使用しようとする複素数拡張シーケンスをランダムに生成すること、又は、発信機は、確定した伝送リソースインデックス及びその身分識別情報に基づいて、システムの予め設定したルールに従って、そのランダムシーケンス発生器の初期状態を確定し、使用しようとする複素数拡張シーケンスをランダムに生成すること、
又は、
システムの予め確定した伝送リソースと複素数拡張シーケンス集合との間の関連付けに基づいて、確定した伝送リソースに関連するＶ個の複素数拡張シーケンス集合を確定し、それから、
（１）システム固定設定に基づいて、上記Ｖ個の複素数拡張シーケンス集合から、Ｗ個の複素数拡張シーケンスを選択して、使用しようとする複素数拡張シーケンスとすること、例を挙げれば、システムが、発信機の使用可能な複素数拡張シーケンスインデックス、或いは複素数拡張シーケンス集合と複素数拡張シーケンスインデックスを固定的に設定し、発信機が、該情報に基づいて、確定したＶ個の複素数拡張シーケンス集合から、使用しようとするＷ個の複素数拡張シーケンスを確定すること、
（２）システムの送信した指示シグナリングに基づいて、上記Ｖ個の複素数拡張シーケンス集合から、Ｗ個の複素数拡張シーケンスを選択して、使用しようとする複素数拡張シーケンスとすること、例を挙げれば、発信機がシステムにアクセスした場合、システムは、発信機に指示シグナリングを送信し、発信機の使用可能な複素数拡張シーケンスインデックス、或いは複素数拡張シーケンス集合と複素数拡張シーケンスインデックスを通知すること、又は、システムは、シグナリングにより発信機の使用可能な複素数拡張シーケンスインデックス、或いは複素数拡張シーケンス集合と複素数拡張シーケンスインデックスを静的に設定し、発信機は、比較的長い時間内でいずれも該情報に基づいて、確定したＶ個の複素数拡張シーケンス集合から、使用しようとするＷ個の複素数拡張シーケンスを確定し、システムは、発信機に静的に設定した情報を変更できるが、変更時間間隔は比較的長く、例えば、１日、１週間、１ヶ月等或いはシステムが変更する必要な場合に変更すること、又は、システムは、周期的若しくは触発的に発信機に半静的な指示シグナリングを送信し、発信機の使用可能な複素数拡張シーケンスインデックス、或いは複素数拡張シーケンス集合と複素数拡張シーケンスインデックスを通知すること、又は、発信機がデータ伝送を行う場合、システムは、発信機に動的な指示シグナリングを送信し、発信機の使用可能な複素数拡張シーケンスインデックス、或いは複素数拡張シーケンス集合と複素数拡張シーケンスインデックスを通知すること、
（３）発信機身分識別情報に基づいて、上記Ｖ個の複素数拡張シーケンス集合から、Ｗ個の複素数拡張シーケンスを選択して、使用しようとする複素数拡張シーケンスとすること、例を挙げれば、発信機は、その番号、身分識別コード、位置又はネットワークアドレス等に基づいて、使用しようとする複素数拡張シーケンスインデックス、或いは複素数拡張シーケンス集合と複素数拡張シーケンスインデックスを確定し、例えば、複数の発信機番号がそれぞれ０，１，…，Ａであり、確定したＶ個の複素数拡張シーケンス集合における複素数拡張シーケンスの数量がいずれもＸであり、複素数拡張シーケンスインデックスがそれぞれ０，１，…，Ｘ−１であれば、発信機Ａは、その使用しようとする複素数拡張シーケンスインデックスが（Ａ mod Ｘ）であることを確定することができ、その中、modは剰余演算を表すこと、
（４）ランダム選択の方式に基づいて、上記Ｖ個の複素数拡張シーケンス集合から、Ｗ個の複素数拡張シーケンスを選択して、使用しようとする複素数拡張シーケンスとすること、例を挙げれば、発信機は、その乱数発生器の出力した乱数を複素数拡張シーケンスインデックス、又は複素数拡張シーケンス集合と複素数拡張シーケンスインデックスとし、該情報に基づいて、確定したＶ個の複素数拡張シーケンス集合から、使用しようとするＷ個の複素数拡張シーケンスを確定すること、
のうちの１つの方式に基づいて（それに制限されない）、使用しようとする複素数拡張シーケンスを確定すること、
を含む。
ここでは、Ｖが１以上の整数であり、Ｗが１以上の整数である。
【００８２】
上記Ｖ個の複素数拡張シーケンス集合から、Ｗ個の複素数拡張シーケンスを選択することは、
（１）発信機が確定した伝送リソースの数量が１つであり、且つ、伝送リソースと複素数拡張シーケンス集合との間が一対一対応の関係であれば、発信機は、確定した伝送リソースに関連する複素数拡張シーケンス集合の数量も１つであることを確定し、発信機は、該複素数拡張シーケンス集合から１つの複素数拡張シーケンス又は複数の複素数拡張シーケンスを選択して、使用しようとする複素数拡張シーケンスとすることができること、
（２）発信機が確定した伝送リソースの数量が複数であり、且つ、伝送リソースと複素数拡張シーケンス集合との間が一対一対応の関係であれば、発信機は、確定した伝送リソースに関連する複素数拡張シーケンス集合の数量も複数であることを確定し、発信機は、その中の１つの複素数拡張シーケンス集合から１つの複素数拡張シーケンスを選択して、使用しようとする複素数拡張シーケンスとすることができ、又は、発信機は、これらの複素数拡張シーケンス集合からそれぞれ１つの複素数拡張シーケンスを選択して、使用しようとする複素数拡張シーケンスとすることができ、又は、発信機は、その中の１つの複素数拡張シーケンス集合から複数の複素数拡張シーケンスを選択して、使用しようとする複素数拡張シーケンスとすることができること、
（３）発信機が確定した伝送リソースの数量が１つであり、且つ、１つの伝送リソースが複数の複素数拡張シーケンス集合に対応すれば、発信機は、確定した伝送リソースに関連する複素数拡張シーケンス集合の数量が複数であることを確定し、発信機は、その中の１つの複素数拡張シーケンス集合から１つの複素数拡張シーケンスを選択して、使用しようとする複素数拡張シーケンスとすることができ、又は、発信機は、その中の１つの複素数拡張シーケンス集合から複数の複素数拡張シーケンスを選択して、使用しようとする複素数拡張シーケンスとすることができ、又は、発信機は、これらの複素数拡張シーケンス集合からそれぞれ１つの複素数拡張シーケンスを選択して、使用しようとする複素数拡張シーケンスとすることができること、
（４）発信機が確定した伝送リソースの数量が複数であり、且つ、これらの伝送リソースが１つの複素数拡張シーケンス集合に対応すれば、発信機は、確定した伝送リソースに関連する複素数拡張シーケンス集合の数量が１つであることを確定し、発信機は、該複素数拡張シーケンス集合から１つ又は複数の複素数拡張シーケンスを選択して、使用しようとする複素数拡張シーケンスとすることができること、
（５）発信機が確定した伝送リソースの数量が複数であり、且つ、これらの伝送リソースが複数の複素数拡張シーケンス集合に対応すれば、発信機は、確定した伝送リソースに関連する複素数拡張シーケンス集合の数量が複数であることを確定し、発信機は、その中の１つの複素数拡張シーケンス集合から１つの複素数拡張シーケンスを選択して、使用しようとする複素数拡張シーケンスとすることができ、又は、発信機は、その中の１つの複素数拡張シーケンス集合から複数の複素数拡張シーケンスを選択して、使用しようとする複素数拡張シーケンスとすることができ、又は、発信機は、これらの複素数拡張シーケンス集合からそれぞれ１つの複素数拡張シーケンスを選択して、使用しようとする複素数拡張シーケンスとすることができること、
のうちの１つの方式を含んでもよいが、それに制限されない。
【００８３】
ステップＳ２２：発信機は、確定した複素数拡張シーケンスを用いて、送信しようとするデータシンボルに対して拡張処理を行い、拡張後のシンボルシーケンスを生成する。
【００８４】
ステップＳ２３：発信機は、生成したシンボルシーケンスを、確定した伝送リソースにマッピングし、送信信号を形成して、送信する。
【００８５】
実施例３
図５に示すように、本実施例において、データ伝送方法は、下記ステップＳ３１〜Ｓ３３を含む。
【００８６】
ステップＳ３１：発信機は、まず、使用しようとする複素数拡張シーケンスを確定し、それから、確定した複素数拡張シーケンスに基づいて、使用しようとする伝送リソースを確定する。
【００８７】
本実施例において、システムは、Ｓ個の複素数拡張シーケンス集合を予め確定し、各複素数拡張シーケンス集合には、Ｘ個の長さがＬである複素数拡張シーケンスが含まれ、その中、Ｓは１以上の整数であり、Ｘは１以上の整数であり、Ｌは１よりも大きい整数である。具体的な過程は、実施例１と類似するため、繰り返して説明しない。
【００８８】
発信機が、使用しようとする複素数拡張シーケンスを確定することは、発信機が、システム固定設定、システムの送信した指示シグナリング、発信機身分識別情報又はランダム生成の方式に基づいて、使用しようとする複素数拡張シーケンスを確定すること、又は、発信機が、まず、使用しようとする複素数拡張シーケンスの所在する複素数拡張シーケンス集合を確定し、それから、該複素数拡張シーケンス集合から、使用しようとする複素数拡張シーケンスを確定すること、を含む。具体的な過程は実施例１と類似するため、繰り返して説明しない。
【００８９】
本実施例において、システムは更に、Ｎ個の伝送リソースを予め確定し、その中、Ｎは１以上の整数である。具体的な過程は実施例１と類似するため、繰り返して説明しない。
【００９０】
システムは更に、伝送リソースと複素数拡張シーケンス集合との間の関連付けを予め確定する。具体的な過程は実施例２と類似するため、繰り返して説明しない。
【００９１】
発信機が、確定した複素数拡張シーケンスに基づいて、使用しようとする伝送リソースを確定することは、確定した複素数拡張シーケンスの所在する複素数拡張シーケンス集合、及びシステムの予め確定した伝送リソースと複素数拡張シーケンス集合との間の関連付けに基づいて、確定した複素数拡張シーケンス集合に関連するＹ個の伝送リソースを確定し、それから、
（１）システム固定設定に基づいて、上記Ｙ個の伝送リソースから、Ｚ個の伝送リソースを選択して、使用しようとする伝送リソースとすること、例を挙げれば、システムが、発信機の使用可能な伝送リソースインデックスを固定的に設定し、発信機が、該情報に基づいて、確定したＹ個の伝送リソースから、使用しようとするＺ個の伝送リソースを確定すること、
（２）システムの送信した指示シグナリングに基づいて、上記Ｙ個の伝送リソースから、Ｚ個の伝送リソースを選択して、使用しようとする伝送リソースとすること、例を挙げれば、発信機がシステムにアクセスした場合、システムは、発信機に指示シグナリングを送信し、発信機の使用可能な伝送リソースインデックスを通知すること、又は、システムは、シグナリングにより発信機の使用可能な伝送リソースインデックスを静的に設定し、発信機は、比較的長い時間内でいずれも該情報に基づいて、確定したＹ個の伝送リソースから、使用しようとするＺ個の伝送リソースを確定し、システムは、発信機に静的に設定した情報を変更できるが、変更時間間隔は比較的長く、例えば、１日、１週間、１ヶ月等或いはシステムが変更する必要な場合に変更すること、又は、システムは、周期的若しくは触発的に発信機に半静的な指示シグナリングを送信し、発信機の使用可能な伝送リソースインデックスを通知すること、又は、発信機がデータ伝送を行う場合、システムは、発信機に動的な指示シグナリングを送信し、発信機の使用可能な伝送リソースインデックスを通知すること、
（３）発信機身分識別情報に基づいて、上記Ｙ個の伝送リソースから、Ｚ個の伝送リソースを選択して、使用しようとする伝送リソースとすること、例を挙げれば、発信機は、その番号、身分識別コード、位置又はネットワークアドレス等に基づいて、使用しようとする伝送リソースインデックスを確定し、例えば、複数の発信機番号がそれぞれ０，１，…，Ａであり、伝送リソースの数量がＹであり、伝送リソースインデックスがそれぞれ０，１，…，Ｙ−１であれば、発信機Ａは、その使用しようとする伝送リソースが（Ａ mod Ｙ）であることを確定することができ、その中、modは剰余演算を表すこと、
のうちの１つの方式に基づいて（それに制限されない）、使用しようとする伝送リソースを確定すること、
を含む。
ここでは、Ｙが１以上の整数であり、Ｚが１以上の整数である。
【００９２】
上記Ｙ個の伝送リソースからＺ個の伝送リソースを選択することは、
（１）発信機が確定した複素数拡張シーケンス集合の数量が１つであり、且つ、伝送リソースと複素数拡張シーケンス集合との間が一対一対応の関係であれば、発信機は、確定した複素数拡張シーケンス集合に関連する伝送リソースの数量も１つであることを確定し、発信機は、該伝送リソースを、使用しようとする伝送リソースとすることができること、
（２）発信機が確定した複素数拡張シーケンス集合の数量が複数であり、且つ、伝送リソースと複素数拡張シーケンス集合との間が一対一対応の関係であれば、発信機は、確定した複素数拡張シーケンス集合に関連する伝送リソースの数量も複数であることを確定し、発信機は、これらの伝送リソースから、１つ、複数又は全部の伝送リソースを選択して、使用しようとする伝送リソースとすることができること、
（３）発信機が確定した複素数拡張シーケンス集合の数量が１つであり、且つ、該複素数拡張シーケンス集合が複数の伝送リソースに対応すれば、発信機は、確定した複素数拡張シーケンス集合に関連する伝送リソースの数量が複数であることを確定し、発信機は、これらの伝送リソースから、１つ、複数又は全部の伝送リソースを選択して、使用しようとする伝送リソースとすることができること、
（４）発信機が確定した複素数拡張シーケンス集合の数量が複数であり、且つ、これらの複素数拡張シーケンス集合が１つの伝送リソースに対応すれば、発信機は、確定した複素数拡張シーケンス集合に関連する伝送リソースの数量が１つであることを確定し、発信機は、該伝送リソースを、使用しようとする伝送リソースとすることができること、
（５）発信機が確定した複素数拡張シーケンス集合の数量が複数であり、且つ、これらの複素数拡張シーケンス集合が複数の伝送リソースに対応すれば、発信機は、確定した複素数拡張シーケンス集合に関連する伝送リソースの数量が複数であることを確定し、発信機は、これらの伝送リソースから、１つ、複数又は全部の伝送リソースを選択して、使用しようとする伝送リソースとすることができること、
のうちの１つの方式を含んでもよいが、それに制限されない。
【００９３】
ステップＳ３２：発信機は、確定した複素数拡張シーケンスを用いて、送信しようとするデータシンボルに対して拡張処理を行い、拡張後のシンボルシーケンスを生成する。
【００９４】
ステップＳ３３：発信機は、生成したシンボルシーケンスを、確定した伝送リソースにマッピングし、送信信号を形成して、送信する。
【００９５】
実施例４
本実施例において、Ｋ個の発信機は、それぞれ使用しようとする伝送リソース及び使用しようとする複素数拡張シーケンスを確定し、その中、各発信機が使用しようとする伝送リソース及び使用しようとする複素数拡張シーケンスを確定することは、
（１）使用しようとする伝送リソース、及び使用しようとする複素数拡張シーケンスをそれぞれ確定すること（具体的な過程は実施例１と類似し、繰り返して説明しない）、
（２）まず、使用しようとする伝送リソースを確定し、それから、前記伝送リソースに基づいて、使用しようとする複素数拡張シーケンスを確定すること（具体的な過程は実施例２と類似し、繰り返して説明しない）、
（３）まず、使用しようとする複素数拡張シーケンスを確定し、それから、前記複素数拡張シーケンスに基づいて、使用しようとする伝送リソースを確定すること（具体的な過程は実施例３と類似し、繰り返して説明しない）、
のうちの１つの方式を含んでもよいが、それに制限されない。
【００９６】
そして、システムは、Ｎ個の伝送リソースを予め確定し、その中、Ｎは１以上の整数である。具体的な過程は実施例１と類似し、繰り返して説明しない。
【００９７】
システムは更に、Ｓ個の複素数拡張シーケンス集合を予め確定し、各複素数拡張シーケンス集合には、Ｘ個の長さがＬである複素数拡張シーケンスが含まれ、その中、Ｓは１以上の整数であり、Ｘは１以上の整数であり、Ｌは１よりも大きい整数である。具体的な過程は実施例１と類似し、繰り返して説明しない。
【００９８】
システムは更に、伝送リソースと複素数拡張シーケンス集合との間の関連付けを予め確定する。具体的な過程は実施例２と類似し、繰り返して説明しない。
【００９９】
図６に示すように、本実施例における１つの状況として、仮に、Ｎ個の伝送リソースをそれぞれ [Ｒ０，Ｒ１，…，ＲＮ−１]と表し、Ｓ個の複素数拡張シーケンス集合をそれぞれ[Ｃ０，Ｃ１，…，ＣＳ−１]と表し、伝送リソースの数量と複素数拡張シーケンス集合の数量が同じであり、即ちＮ＝Ｓであり、伝送リソースと複素数拡張シーケンス集合との間は一対一対応の関係であることとし、そして仮に、Ｋ個の発信機をそれぞれ [Ｔ０，Ｔ１，…，ＴＫ−１]と表し、その中、発信機Ｔ０、Ｔ１、…、ＴＫ/Ｎ−１は、使用しようとする伝送リソースがＲ０であることを確定し、使用しようとする複素数拡張シーケンスの所在する複素数拡張シーケンス集合がＣ０であることを確定し、発信機ＴＫ/Ｎ、ＴＫ/Ｎ＋１、…、Ｔ２Ｋ/Ｎ−１は、使用しようとする伝送リソースがＲ１であることを確定し、使用しようとする複素数拡張シーケンスの所在する複素数拡張シーケンス集合がＣ１であることを確定し、類推すると、発信機Ｔ(Ｎ−１)Ｋ/Ｎ、Ｔ(Ｎ−１)Ｋ/Ｎ＋１、…、ＴＫ−１は、使用しようとする伝送リソースがＲＮ−１であることを確定し、使用しようとする複素数拡張シーケンスの所在する複素数拡張シーケンス集合がＣＳ−１であることを確定し、各発信機は、それぞれ確定した複素数拡張シーケンス集合から、使用しようとする複素数拡張シーケンスを確定することとする。
【０１００】
図７に示すように、本実施例における他の状況として、仮に、Ｎ個の伝送リソースをそれぞれ[Ｒ０，Ｒ１，…，ＲＮ−１]と表し、Ｓ個の複素数拡張シーケンス集合を[Ｃ０]と表し、即ち複素数拡張シーケンス集合の数量が１であり、Ｎ個の伝送リソースは１つの複素数拡張シーケンス集合に対応することとし、そして仮に、Ｋ個の発信機をそれぞれ[Ｔ０，Ｔ１，…，ＴＫ−１]と表し、その中、発信機Ｔ０、Ｔ１、…、ＴＫ/ｎ−１は、使用しようとする伝送リソースがＲ０であることを確定し、使用しようとする複素数拡張シーケンスの所在する複素数拡張シーケンス集合がＣ０であることを確定し、発信機ＴＫ/Ｎ、ＴＫ/Ｎ＋１、…、Ｔ２Ｋ/Ｎ−１は、使用しようとする伝送リソースがＲ１であることを確定し、使用しようとする複素数拡張シーケンスの所在する複素数拡張シーケンス集合がＣ０であることを確定し、類推すると、発信機Ｔ(Ｎ−１)Ｋ/Ｎ、Ｔ(Ｎ−１)Ｋ/Ｎ＋１、…、ＴＫ−１は、使用しようとする伝送リソースがＲＮ−１であることを確定し、使用しようとする複素数拡張シーケンスの所在する複素数拡張シーケンス集合がＣ０であることを確定し、各発信機はそれぞれ確定した複素数拡張シーケンス集合から、使用しようとする複素数拡張シーケンスを確定することとする。
【０１０１】
図８に示すように、本実施例における更なる状況として、仮に、Ｎ個の伝送リソースをそれぞれ[Ｒ０，Ｒ１，…，ＲＮ−１]と表し、Ｓ個の複素数拡張シーケンス集合をそれぞれ[Ｃ０，Ｃ１，…，ＣＳ−１]と表し、伝送リソースの数量と複素数拡張シーケンス集合の数量が同じであり、即ちＮ＝Ｓであり、伝送リソースと複素数拡張シーケンス集合との間は一対一対応の関係であることとし、そして仮に、Ｋ個の発信機をそれぞれ[Ｔ０，Ｔ１，…，ＴＫ−１]と表し、その中、発信機Ｔ０、Ｔ１、…、Ｔ２Ｋ/Ｎ−１は、使用しようとする伝送リソースがＲ０とＲ１であることを確定し、使用しようとする複素数拡張シーケンスの所在する複素数拡張シーケンス集合がＣ０とＣ１であることを確定し、発信機Ｔ２Ｋ/Ｎ、Ｔ２Ｋ/Ｎ＋１、…、Ｔ４Ｋ/Ｎ−１は、使用しようとする伝送リソースがＲ２とＲ３であることを確定し、使用しようとする複素数拡張シーケンスの所在する複素数拡張シーケンス集合がＣ２とＣ３であることを確定し、類推すると、発信機Ｔ(Ｎ−２)Ｋ/Ｎ、Ｔ(Ｎ−２)Ｋ/Ｎ＋１、…、ＴＫ−１は、使用しようとする伝送リソースがＲＮ−２とＲＮ−１であることを確定し、使用しようとする複素数拡張シーケンスの所在する複素数拡張シーケンス集合がＣＳ−２とＣＳ−１であることを確定し、各発信機は、それぞれ確定した複素数拡張シーケンス集合から、使用しようとする複素数拡張シーケンスを確定し、且つ各発信機は、確定した２つの複素数拡張シーケンス集合から、それぞれ使用しようとする複素数拡張シーケンスを確定して、確定した２つの伝送リソースにそれぞれ適用することとする。
【０１０２】
図９に示すように、本実施例における更なる状況として、仮に、Ｎ個の伝送リソースをそれぞれ[Ｒ０，Ｒ１，…，ＲＮ−１]と表し、Ｓ個の複素数拡張シーケンス集合をそれぞれ [Ｃ０，Ｃ１，…，ＣＳ−１]と表し、伝送リソースの数量と複素数拡張シーケンス集合の数量が同じであり、即ちＮ＝Ｓであり、伝送リソースと複素数拡張シーケンス集合との間は一対一対応の関係であることとし、そして仮に、Ｋ個の発信機をそれぞれ[Ｔ０，Ｔ１，…，ＴＫ−１]と表し、その中、発信機Ｔ０、Ｔ１、…、Ｔ２Ｋ/Ｎ−１は、使用しようとする伝送リソースがＲ０とＲ１であることを確定し、伝送リソースＲ０に基づいて、使用しようとする複素数拡張シーケンスの所在する複素数拡張シーケンス集合がＣ０であることを確定し、発信機Ｔ２Ｋ/Ｎ、Ｔ２Ｋ/Ｎ＋１、…、Ｔ４Ｋ/Ｎ−１は、使用しようとする伝送リソースがＲ２とＲ３であることを確定し、伝送リソースＲ２に基づいて、使用しようとする複素数拡張シーケンスの所在する複素数拡張シーケンス集合がＣ２であることを確定し、類推すると、発信機Ｔ(Ｎ−２)Ｋ/Ｎ、Ｔ(Ｎ−２)Ｋ/Ｎ＋１、…、ＴＫ−１は、使用しようとする伝送リソースがＲＮ−２とＲＮ−１であることを確定し、伝送リソースＲＮ−２に基づいて、使用しようとする複素数拡張シーケンスの所在する複素数拡張シーケンス集合がＣＳ−２であることを確定し、各発信機は、それぞれ確定した複素数拡張シーケンス集合から、使用しようとする複素数拡張シーケンスを確定し、且つ各発信機が確定した１つの複素数拡張シーケンス集合から確定した複素数拡張シーケンスは、同時に確定した２つの伝送リソースに適用されることとする。
【０１０３】
また、本実施例は他の多種の状況を更に有し、上記状況を参照して処理することができるため、繰り返して説明しない。
【０１０４】
本実施例において、Ｋ個の発信機は、それぞれ確定した複素数拡張シーケンスを用いて、それぞれの送信しようとするデータシンボルに対して拡張処理を行い、拡張後のシンボルシーケンスを生成する。
【０１０５】
本実施例において、Ｋ個の発信機は、それぞれ生成したシンボルシーケンスを、確定した伝送リソースにマッピングし、送信信号を形成して、送信する。
【０１０６】
受信機が受信検出を行う際に、複数の発信機は、同じ伝送リソースにおいてデータ伝送を行うため、受信機は、干渉除去信号検出方法（例えば、逐次干渉除去ＳＩＣ）を用いて、これらの発信機の使用する複素数拡張シーケンス及びその所在する複素数拡張シーケンス集合に基づいて、各伝送リソースにおいてどの発信機がデータ伝送を行っているかを検出して、データ伝送を行っている発信機の発送したデータを検出することができ、このように、各送信機の使用する複素数拡張シーケンス集合及びその中の複素数拡張シーケンスの数量を制御することにより、受信機の受信検出の複雑さを低減することができる。同時に、採用した複素数拡張シーケンスの各要素の実部と虚部の取る値はいずれもＭ要素実数集合からのものであり、同じ伝送リソースを使用する複数の発信機が低い相互相関の複素数拡張シーケンスを選択して、その送信しようとするデータシンボルに対して拡張処理を行って送信することを効果的に保証することができ、それにより、マルチユーザ間干渉を効果的に制御し、より高いアクセスユーザの数量をサポートすることができる。更に、複素数拡張シーケンス及び伝送リソースの区分を組合わせて、システムは、より多くのユーザ端末が同時にアクセスして通信することをサポートすることができる。従って、本実施例は、マルチユーザ間干渉を効果的に制御し、受信機の受信検出複雑さを効果的に制御することができ、それにより、マルチユーザアクセス通信性能を効果的に改善し、より多くのユーザ端末が同時にアクセスして通信することをサポートすることができる。
【０１０７】
上記実施例は、アップリンクデータ伝送に適用されてもよく、ダウンリンクデータ伝送に適用することを考えてもよく、この時、必要な場合に、受信機による受信検出のために、発信機は、確定した使用しようとする伝送リソースの情報及び／又は確定した使用しようとする複素数拡張シーケンスの情報を、受信機に送信する必要がある。
【０１０８】
上記実施例に基づいて、具体的な適用の場合に、ＭＣ-ＣＤＭＡシステム、競合アクセスシーン又は無スケジューリングアクセスシーン等に適用されることができる。
【０１０９】
ＭＣ-ＣＤＭＡシステムに対して、上記実施例を採用すれば、発信機は、確定した複素数拡張シーケンスを使用して、送信しようとするデータを処理して、確定した伝送リソースにおいてデータ伝送を行い、複数の発信機は、同じ時間周波数リソースを使用して、データ伝送を行うことができ、受信機は、干渉除去信号検出器（例えば、ＳＩＣ）を採用すれば、同じ伝送リソースにおいてデータ伝送を行う複数の発信機の送信したデータを効果的に区別することができる。上記実施例はＭＣ-ＣＤＭＡシステムに適用すれば、マルチユーザ間干渉を効果的に制御し、大量の端末が同時にデータ伝送を行うことをサポートし、受信機の受信検出複雑さを効果的に制御することができ、それによりマルチユーザアクセス通信性能を効果的に改善することができる。
【０１１０】
競合アクセスシーンに対して、上記実施例を採用すれば、端末は、確定した複素数拡張シーケンスに基づいて、確定した伝送リソースにおいてシステムへのアクセスを要求し、複数ひいては大量の端末は、同じ伝送リソースにおいて同時にシステムへのアクセスを要求することができ、受信機は、干渉除去信号検出器を採用すれば、同じ伝送リソースにおける異なるアクセス端末の送信した信号を効果的に区別することができ、それにより、大量の端末の競合アクセスをサポートし、システムアクセス効率を効果的に改善し、端末アクセス体験を改善することができる。
【０１１１】
無スケジューリング通信シーンに対して、上記実施例を採用すれば、端末はデータを送信する必要がある際に、確定した複素数拡張シーケンスを使用してその送信データを処理して、確定した伝送リソースにおいてデータ伝送を行うことができ、複数の端末は同時に同じ伝送リソースを使用してデータ伝送を行うことができ、受信機は干渉除去信号検出器を採用すれば、同じ伝送リソースにおいてデータ伝送を行う各端末の送信した信号を効果的に区別することができ、それにより大量の端末が同時にデータ伝送を行うことをサポートし、端末の無スケジューリング通信の体験を高めることができ、更にシステムスケジューリングシグナリングを減少させ、端末伝送遅延を低減することができる。
【０１１２】
また、本発明の実施例は、コンピュータ読み取り可能な記憶媒体を更に提供し、コンピュータの実行可能な指令が記憶され、前記コンピュータの実行可能な指令が実行される場合、上記データ伝送方法を実現する。
【０１１３】
当業者が理解することができるように、上記方法における全部又は一部のステップはプログラムが関連のハードウェア（例えば、プロセッサ）を指令することにより完成することができ、前記プログラムは、コンピュータ可読記憶媒体、例えば、読み出し専用メモリ、ディスク又は光ディスクなどに記憶することができる。選択的に、上記実施例の全部又は一部のステップは、１つ又は複数の集積回路を用いて達成することもできる。対応的に、上記実施例における各モジュール/ユニットは、ハードウェアの形式で達成してもよく、例えば、集積回路で対応する機能を実現し、ソフトウェア機能モジュールの形式で達成してもよく、例えばプロセッサでメモリに記憶されるプログラム/指令を実行することにより対応する機能を実現する。本発明は、いずれの特定形式のハードウェアとソフトウェアの組合わせに限定されるものではない。
【０１１４】
上記は、本願の基本原理、主な特徴及び本願の利点を示して記載している。本願は、上記実施例により制限されるものでなく、上記実施例及び明細書に記載のものは本願の原理を説明するためのものであり、本願の趣旨と範囲を逸脱しない前提で、本願は更に各種の変更と改良を有し、これらの変更と改良は、いずれも本願の保護範囲内にある。
【産業上の利用可能性】
【０１１５】
本発明の実施例は、データ伝送方法及び装置を提供し、マルチユーザ間干渉を効果的に制御し、受信機の受信検出複雑さを効果的に制御し、マルチユーザアクセス通信性能を効果的に改善し、より多くのユーザ端末が同時にアクセスして通信することをサポートすることができる。
【図１】
0006583863.tif 000002
【図２】
0006583863.tif 000003
【図３】
0006583863.tif 000004
【図４】
0006583863.tif 000005
【図５】
0006583863.tif 000006
【図６】
0006583863.tif 000007
【図７】
0006583863.tif 000008
【図８】
0006583863.tif 000009
【図９】
0006583863.tif 000010